(57)【要約】【課題】金属板やアクリル板などのような硬質性の材質の組立ケースでも接着剤やネジなどの係止材を使わずに組み立てられるようにする。【解決手段】組立ケースを、Ｌ型に形成した係合突起Ｃを側部に複数個設けた係合パネルＡと、前記係合パネルＡの側部に設けた係合突起Ｃの折り曲げた先端を嵌入できる嵌入孔Ｅをパネル面に形成した嵌合パネルＢとで構成する。そして、組立の際には、嵌合パネルＢの嵌入孔Ｅに係合パネルＡの係合突起Ｃを嵌め、スライドさせて係合パネルＡのＬ形の係合突起Ｃの垂直部に嵌合パネルＢの嵌入孔Ｅの端縁を当接させたのちストッパーＳで固定して、ストッパーＳで両者を分離しないようにすることで、金属板やアクリル板などのような硬質性の材質の組立ケースでも接着剤やネジなどの係止材を使わずに組み立てられるようにする。【選択図】  図２
2004168330.tif 000002
【特許請求の範囲】
【請求項１】
先端を側縁に並行、かつ、同一方向に折り曲げてＬ型に形成した係合突起を側部に複数個設けた係合パネルと、
前記係合パネルの側部に設けた係合突起の折り曲げた先端を嵌入できる形状に形成した嵌入孔をパネル面に形成した嵌合パネルと、
前記嵌合パネルの嵌入孔に、係合パネルの係合突起を嵌入し、嵌入した係合突起の先端を嵌合パネルのパネル面から突出させたのち、折り曲げられた係合突起のＬ型の内側の垂直部分に嵌入孔の端面を当接させるようにスライドさせたパネルを固定するストッパーとで構成される組立式ケース。
【請求項２】
上記係合パネルと嵌合パネルで構成され、ストッパーで固定された正面、側面、背面パネルで囲まれたケースの内側に取り付けられるパネルの係合突起がＩ型である請求項１に記載の組立式ケース。
【請求項３】
上記全部あるいは一部の係合パネルのＬ型の係合突起に代えて、先端が水平方向に広がったＴ型とし、
一方、上記係合突起をＴ型とした係合パネルに対応する嵌合パネルの嵌入孔を、Ｔ型の係合突起の水平部が嵌入できる嵌入部と、その嵌入部と連通してＴ型の垂直部分が嵌入される嵌合部を設けたものとするとともに、その嵌入孔の嵌入部にストッパーを挿入してスライドさせたパネルを固定するようにした請求項１または２に記載の組立式ケース。
【発明の詳細な説明】
【０００１】
【発明の属する利用分野】
この発明は、例えば、小物入れ、貯金箱、ペン立て．．．などの小型ケースに適用可能で、かつ、接着剤やネジなどの係止材を使わずにワンタッチで組み立てられる組立式ケースに関するものである。
【０００２】
【従来の技術】
小型ケースに適用可能で、かつ、接着剤やネジなどの係止材を使わずにワンタッチで組み立てられるな組立式ケースとして、例えば、特許文献１に示すようなものがある。
【０００３】
このものは、図１０（ａ）に示すように、Ｌ形の係止片１を突設したオス板２と、前記オス板２の係止片１の嵌まる溝孔３を端縁に形成したメス板４とで構成され、図１０（ｂ）のようにメス板４の溝孔３にオス板２の係止片１を嵌めたのちスライドさせて、オス板２の係止片１のＬ形の折曲部とメス板４の溝孔３の端縁とを噛み合わせて組み立てる。
【０００４】
【特許文献１】
特開平１０−１６７２６３号公報
【０００５】
【発明が解決しようとする課題】
ところで、上記の組立式ケースでは、組み立てた際の係止力を高めるため、オス板の係止片のＬ形の折曲部とメス板の溝孔の端縁とを噛み合わせ、溝孔の端縁を圧縮することにより、大きな係止力を得るようにしている。
【０００６】
しかしながら、例えば、メス板とオス板とが金属板やアクリル板などのような弾性力の少ない硬質性のものでは、両者を噛み合わせても溝孔の端縁を圧縮できないので簡単に外れてしまう。そのため、材質が弾性のあるものに限られてしまう。また、材質が限られるので、用途も限定されてしまうという問題がある。
【０００７】
そこで、この発明の課題は、例えば、金属板やアクリル板などのような硬質性のものでも材質を選ばずに必要な強度を持って組み立てることができるようにすることである。
【０００８】
【課題を解決するための手段】
上記の課題を解決するため、この発明では、先端を側縁に並行、かつ、同一方向に折り曲げてＬ型に形成した係合突起を側部に複数個設けた係合パネルと、
前記係合パネルの側部に設けた係合突起の折り曲げた先端を嵌入できる形状に形成した嵌入孔をパネル面に形成した嵌合パネルと、前記嵌合パネルの嵌入孔に、係合パネルの係合突起を嵌入し、嵌入した係合突起の先端を嵌合パネルのパネル面から突出させたのち、折り曲げられた係合突起のＬ型の内側の垂直部分に嵌入孔の端面を当接させるようにスライドさせたパネルを固定するストッパーとで構成したのである。
【０００９】
このような構成を採用することにより、嵌合パネルの嵌入孔に係合パネルの係合突起を嵌めたのちスライドさせて、係合パネルのＬ形の係合突起の垂直部に嵌合パネルの嵌入孔の端縁を噛み合わせたのちストッパーで固定して、ストッパーで両者を分離しないようにするので、両者の材質に関係なく必要な係止力が得られる。
【００１０】
このとき、上記係合パネルと嵌合パネルで構成され、ストッパーで固定された正面、側面、背面パネルで囲まれたケースの内側に取り付けられるパネルの係合突起がＩ型である構成を採用することができる。
【００１１】
このような構成を採用することにより、内側に取り付けられたパネルは、ストッパーで固定された正面、側面、背面パネルで囲まれているので、これらのパネルにＩ型の係合突起で係止するだけで固定することができる。
【００１２】
また、このとき、上記全部あるいは一部の係合パネルのＬ型の係合突起に代えて、先端が水平方向に広がったＴ型とし、一方、上記係合突起をＴ型とした係合パネルに対応する嵌合パネルの嵌入孔を、Ｔ型の係合突起の水平部が嵌入できる嵌入部と、その嵌入部と連通してＴ型の垂直部分が嵌入される嵌合部を設けたものとするとともに、その嵌入孔の嵌入部にストッパーを挿入してスライドさせたパネルを固定するようにした構成を採用することができる。
【００１３】
このような構成を採用することにより、嵌合パネルの嵌入部に係合パネルの係合突起を嵌めたのちスライドさせて、嵌合パネルの嵌合部に係合突起の水平部を嵌める。こうすると、係合突起の水平部が嵌合パネルに当接して抜け落ちを防止することができる。さらに、空いた嵌入孔の嵌入部にストッパーを嵌めれば、ストッパーでスライドさせたパネルを固定して両者を分離できなくするので、両者の材質に関係なく必要な係止力が得られる。
【００１４】
【発明の実施の形態】
以下、この発明の実施の形態を図面に基づいて説明する。
図１〜図３に第１実施形態を示す。
この形態は、図１に示すように、この発明の組立式ケースを貯金箱に適用したもので、正面パネル１０と背面パネル１１を形成する係合パネルＡと、両側面パネル１２を形成する嵌合パネルＢと、ストッパーＳと、上面パネル１３及び底面パネル１４とで構成されており、各パネル１０〜１４は硬質部材であるアクリル板で形成されている。
【００１５】
係合パネルＡは、図２に示すように、両側に係合突起Ｃが設けられたもので、係合突起Ｃは、先端を側縁に並行、かつ、同一方向（ここでは下向き）に折り曲げてＬ型に形成されており、後述するように嵌合パネルＢの嵌入孔Ｅに挿通した際に折り曲げられた先端が嵌合パネル端面から突出するように垂直部分の高さが決められている。
また、この係合パネルＡには、上方と下方に後述のように上面パネル１３と底面パネル１４の係合突起Ｃ’を嵌入するための嵌入孔Ｅ’が２箇所づつ設けられている。
【００１６】
嵌合パネルＢは、四隅に前記係合パネルＡに設けた係合突起Ｃを嵌入するための嵌入孔Ｅが設けられており、嵌入孔Ｅは、ここでは、係合突起Ｃの先端が嵌入できる長方形状に形成されている。
また、嵌合パネルＢの下方には、ストッパーＳを嵌めるためのストッパー孔Ｆが設けられている。
【００１７】
ストッパーＳは、略コの字型をしたもので、後部の両側を突出させて抜け止めとしてある。また、先端を斜めにカットしてストッパー孔Ｆへの嵌入を容易にするとともに、ストッパー孔よりも少し大きめに形成して嵌入後に弾性を発揮させて外れにくくする工夫がしてある。
【００１８】
上面パネル１３と底面パネル１４は、一方の対向する両側（ここでは、正面と背面の係合パネル側）にＩ型の係合突起Ｃ’を設けた構成となっており、このＩ型の係合突起Ｃ’は、先に述べたとおり、係合パネルＡの上方と下方に２箇所づつ設けた嵌入孔Ｅ’に嵌めることができるようになっている。
また、上面パネル１３と底面パネル１４の大きさは、上面パネル１３を大きく、底面パネル１４を小さくして、正面パネル１０、背面パネル１１、両側面パネルとで形成される上方の開口と下方の開口に各々合わせてある（図１に示すように下方を小さくしたデザインのため）。そして、上面パネル１３には、コインが入れられるように溝を設けてある。
【００１９】
この形態は、上記のように構成されており、図２のように、分離された各パネル１０〜１４は、例えば、以下のようにして組み立てる。
【００２０】
まず、組み立て易くするために、正面パネル１０と背面パネル１１に、上面パネル１３と底面パネル１４を取り付ける。この取り付けは、単に、上面パネル１３と底面パネル１４のＩ型の係合突起Ｃ’を正面パネル１０と背面パネル１１を形成する係合パネルＡに設けた嵌入孔Ｅ’に嵌入すればよい。
【００２１】
こうしておいて、上面パネル１３と底面パネル１４を取り付けた正面パネル１０と背面パネル１１に両側面パネル１２を取り付ける。このとき、正面パネル１０と背面パネル１１は係合パネルＡなので、Ｌ型の係合突起Ｃの先端を側面パネル１２の嵌入孔Ｅに嵌入し先端を突出させる。このとき、側面パネル１２のストッパー孔Ｆには、図３（ａ）に示すように、底面パネル１４が被さった状態になっているが、正面パネル１０と背面パネル１１あるいは側面パネル１２のいずれかをスライドさせて、Ｌ型の係合突起Ｃの垂直部分に嵌入孔Ｅの端部を当接させると、図３（ｂ）に示すように、側面パネル１２のストッパー孔Ｆは底面パネル１４の上になる。この状態で、ストッパー孔ＦにストッパーＳを嵌めると、嵌めたストッパーＳがスライドさせたパネル１０〜１２を固定してケースを組み立てることができる。
【００２２】
このようにストッパーＳがスライドさせたパネル１０〜１２を固定するので、パネル１０〜１２の弾性によらずに固定できる。このため、硬質のアクリル板でも固定できる。
【００２３】
また、このようにして両側面パネル１２を取り付けると、Ｌ型の係合突起Ｃの先端の折り曲げ部分が、正面及び背面パネル１０、１１のパネル面に当接して抜け止めとなって外れないので、このようなパネル１０〜１２で囲まれた内側に取り付けた上面パネル１３と底面パネル１４は、係合突起Ｃ’がＩ型でも抜けることはない。
【００２４】
このように、ノリやネジを使わず僅か２個のストッパーＳで組み立てることができる（ここでは、すべての係合突起ＣのＬ型の折り曲げ方向を同じにしてある）。逆に、２個のストッパーＳで組み立てることができたので、２個のストッパーＳを外せば簡単に分解することもできる。
【００２５】
図４〜図６に第２実施形態を示す。
【００２６】
この形態のケースは小物などを入れるためのアクリル板を使ったケースで、両方の側面パネル１２と底面パネル１４を係合パネルＡで構成し、正面パネル１０と背面パネル１１を嵌合パネルＢで構成している。
【００２７】
係合パネルＡは、図５のように、側面パネル１２と底面パネル１４とでは係合突起Ｃ、Ｃ”の形状が異なっており、側面パネル１２はＬ型Ｃで、底面パネル１４はＴ型Ｃ”となっている。
【００２８】
側面パネル１２のＬ型の係合突起Ｃは後述するようにＴ型の係合突起Ｃ”を用いたことにより、第１実施形態とは逆にＬ型の折り曲げ方向は上方に向けて折り曲げたものとなっている。この他のＬ型の係合突起Ｃの説明は、第１実施形態で説明したので省略する。
【００２９】
底面パネル１４は、両側に係合突起（片側３個）Ｃ”を設けたもので、係合突起Ｃ”は、前述のとおりＴ型で、先端は側縁と並行に水平方向に広がった水平部と垂直な垂直部とで構成されており、垂直部は、正面及び背面パネル１０、１１（嵌合パネルＢ）の嵌入孔Ｅ”に挿通した際に、水平部が前記パネル１０、１１の端面から突出するように高さが形成してある。
この底面パネル１４には、左端と右端に側面パネル１２を留めるための嵌入孔Ｅが設けられている。
【００３０】
正面及び背面パネル１０、１１は嵌合パネルＢで、Ｔ型の係合突起用の嵌入孔Ｅ”とＬ型の係合突起用の嵌入孔Ｅとが設けられている。Ｔ型用の嵌入孔Ｅ”はパネル下端に設けられ、Ｌ型用の嵌入孔Ｅはパネルの左右の端部に設けられている。
【００３１】
Ｔ型用の嵌入孔Ｅ”は、図６（ａ）に示すように、Ｔ型の係合突起Ｃ”の先端の水平部を嵌入する嵌入部２０と、その嵌入部２０と連通してＴ型の垂直部分を嵌入する嵌合部２１とからなり、嵌合部２１を嵌入部２０の上方に設けた凸型となっている。このＴ型用の嵌入孔Ｅ”の形状は、常に、嵌入部２０の上方に嵌合部２１が形成された物ではなく、第３実施形態でも示すように、パネルをスライドさせる方向に応じて決めるものである。
なお、Ｌ型の嵌入孔は第１実施形態と同じなので説明は省略する。
【００３２】
ストッパーＳは、略コの字型をしたもので、Ｔ型用の嵌入孔Ｅ”の嵌入部２０に嵌入できる大きさになっている。また、第１実施形態と同様に、後部の両側を突出させて抜け止めとし、先端を斜めにカットして嵌入部２０への嵌入を容易にするとともに、嵌入部２０よりも少し大きく形成して嵌入後に弾性を発揮させて外れ難くするとよい。
【００３３】
この形態は、上記のように構成されており、図５のように、分離された各パネル１０〜１２、１４は、先ず、底面パネル１４に側面パネル１２を取り付ける。このとき、側面パネル１２は、底面パネル１４に取り付けてスライドさせてＬ型の係合突起Ｃを係合させるので、スライドさせたときに底面パネル１４からはみ出さないように向きを決める。このようにＬ型の突起Ｃを底面パネル１４と係合させることにより、外れにくくして強度を向上させるようにしている。
【００３４】
側面パネル１２の取り付けが終わると、正面パネル１０と背面パネル１１を取り付ける。この取り付けは、正面パネル１０と背面パネル１１の嵌入孔Ｅ”の嵌入部２０に底面パネル１４のＴ型の係合突起Ｃ”の水平部を嵌め水平部を突出させたのち、スライドさせて突起Ｃ”の垂直部を嵌入孔Ｅ”の嵌合部２１に嵌める。こうすると、前記突起Ｃ”の水平部が正面及び背面パネル１０、１１のパネル面に当接して抜け落ちを防止することができる。さらに、図６（ａ）から（ｂ）に示すように、正面及び背面パネル１０、１１をスライドさせて空いた嵌入孔Ｅ”の嵌入部２０にストッパーＳを嵌めれば、ストッパーＳでスライドさせたパネル１０〜１２、１４を固定して両者が分離しないようにするので、両者の材質に関係なく必要な係止力を得ることができる。
【００３５】
このようにすれば、第１実施形態と同様に、２本のストッパーＳでケースの組み立てができる（ここでは、すべての嵌入孔Ｅ”の嵌合部２１を嵌入部２０の上方に形成し、また、係合突起Ｃの折り曲げ方向を上向きにしている）。また、２本のストッパーＳを外せば分離も簡単にできる。
【００３６】
図７〜図９に第３実施形態を示す。
【００３７】
この形態は、図７に示すように、左右にペン立てと貯金箱とを設けたアクリルケースで、正面パネル１０と背面パネル１１を嵌合パネルＢで形成し、両側面パネル１２と底面パネル１４及び上面パネル１３と仕切りパネル１５を係合パネルＡで構成している。
【００３８】
この形態では、仕切りパネル１５を用いているので、Ｔ型用の嵌入孔Ｅ”の嵌入部２０と嵌合部２１の向きを第２実施形態の場合と逆、すなわち、嵌合部２１を嵌入部２０の下に設けている。こうすることにより、図９（ａ）、（ｂ）に示すように、ストッパーＳを上方の嵌入孔（上面パネル１３を止めるためのもの）Ｅ”あるいは下方の嵌入孔（底面パネル１４を止めるためのもの）Ｅ”のどちらにでも取り付けられる。このとき、上方の嵌入孔Ｅ”は、図８のように板状のストッパーＳを使うようにもできる（下方の場合は、コ型のもので、仕切パネル１５を挟み込むようにする）。
【００３９】
なお、他の係合突起Ｃ、Ｃ”と嵌入孔Ｅ、Ｅ”及び組み立て方法については、第２実施形態と同じなので、説明は省略する。
【００４０】
【発明の効果】
この発明は、以上のように構成したことにより、硬質性のパネルでも必要な強度を持って組み立てることができる。
【００４１】
このように、材質を選ばないので、広い用途に使用することができる。
【図面の簡単な説明】
【図１】第１実施形態の斜視図
【図２】第１実施形態の分解斜視図
【図３】（ａ）、（ｂ）第１実施形態の作用説明図
【図４】第２実施形態の斜視図
【図５】第２実施形態の分解斜視図
【図６】（ａ）、（ｂ）第２実施形態の作用説明図
【図７】第３実施形態の斜視図
【図８】第３実施形態の分解斜視図
【図９】（ａ）、（ｂ）第３実施形態の作用説明図
【図１０】（ａ）従来例の斜視図
（ｂ）従来例の断面図
【符号の説明】
１０  正面パネル
１１  背面パネル
１２  側面パネル
１３  上面パネル
１４  底面パネル
１５  仕切パネル
２０  嵌入部
２１  嵌合部
Ａ    係合パネル
Ｂ    嵌合パネル
Ｃ    Ｌ型の係合突起
Ｃ’  Ｉ型の係合突起
Ｃ”  Ｔ型の係合突起
Ｅ    嵌入孔
Ｅ’  嵌入孔
Ｅ”  嵌入孔
Ｆ    ストッパー孔
Ｓ    ストッパー
【図１】
2004168330.tif 000003
【図２】
2004168330.tif 000004
【図３】
2004168330.tif 000005
【図４】
2004168330.tif 000006
【図５】
2004168330.tif 000007
【図６】
2004168330.tif 000008
【図７】
2004168330.tif 000009
【図８】
2004168330.tif 000010
【図９】
2004168330.tif 000011
【図１０】
2004168330.tif 000012